(57)【要約】      （修正有）【課題】立設が容易で、搬送が容易であり、しかも設計範囲が格段に広い支柱及び支柱の立設方法を提供する。【解決手段】空間部に沿って防球用ネット又はテント用シートを吊り張りするのに使用する支柱１であって、支柱１が下端側を地中に埋設され上端側に継手が形成された下部支柱２と、下部支柱２に連結した上部支柱３から形成され、且つ下部支柱２が鋼管杭、コンクリートＰＣ杭又は鉄製杭、上部支柱３が鋼管ポール、コンクリートポール又は鉄製ポールを組み合わせて構成されている。【選択図】図１
2013117146.tif 000002
【特許請求の範囲】
【請求項１】
空間部に沿って防球用ネット又はテント用シートを吊り張りするのに使用する支柱であって、該支柱が下端側を地中に埋設され上端側に継部が形成された下部支柱と、該下部支柱に連結した上部支柱から形成され、且つ立設条件に応じて下部支柱がコンクリートＰＣ杭、鋼管杭又は鉄製杭、上部支柱が鋼管ポール、コンクリートポール又は鉄製ポールを組み合わせて構成されていることを特徴とする支柱。
【請求項２】
空間部に沿って防球用ネット又はテント用シートを吊り張りすべく複数本の支柱を立設する支柱の立設方法であって、該支柱を下部支柱と上部支柱で形成し、立設条件に応じて鋼管杭、コンクリートＰＣ杭又は鉄製杭で構成された下部支柱を選択し、該下部支柱の下端側を地中に埋設し、下部支柱の上端側に形成された継部に鋼管ポール、コンクリートポール又は鉄製ポールで構成された上部支柱を選択して連結することを特徴とする支柱の立設方法。
【発明の詳細な説明】
【技術分野】
【０００１】本発明は、空間部に沿って防球用ネットを吊り張りするのに使用する支柱、又はテント用シートを吊り張りするのに使用する支柱及び該支柱の立設方法に関する。
【技術の背景】
【０００２】従来、防球用ネットを空間に沿って吊り張りする場合は、該空間部に沿って複数本の支柱を立設し該支柱の上下方法にネットを吊り張りすることで防球用として試用する。
【０００３】上記防球用ネットを吊り張りするのに使用する支柱は、通常は円筒状の耐候性の１本の鋼管から構成され、支柱の下部側は地中に埋設している。埋設部分は、コンクリート用の型枠に支柱を取り付ける孔の形成された抜き型を取り付けてコンクリートを打ち支柱を取り付ける孔に支柱の下部を挿入することで支柱を立設する。
【０００４】この際、空間部の広さ狭さ、空間部に使用目的に応じて、支柱に長さが決定される。
【発明が解決しようとする課題】
【０００５】しかしながら、上記従来の支柱は、１本の鋼管で構成されているために、支柱の搬入時に狭い道路や曲がり角でその運び込みが煩雑であった。
【０００６】また、ネットは屋外で吊り張りしているために風の影響を受けやすく、鋼管を分割して構成した場合は強度に大きな問題を生じる。
【０００７】また、高い支柱を立設する場合は、下部側を埋設するのに深く掘る必要があり、掘削り作業時間の短縮が図れない欠点があった。
【０００８】さらに大きな問題点は、支柱を立設する地面の硬軟に対応した支柱の選択が必要であった。
【０００９】そこで本発明は、上記立設条件に応じて最適な支柱を選択し、作業が容易で、強度を維持できる支柱及び該支柱の立設方法を提供することを課題とする。
【課題を解決するための手段】
【００１０】上記課題を解決する手段は、請求項１に記載のように、空間部に沿って防球用ネット又はテント用シートを吊り張りするのに使用する支柱であって、該支柱が下端側を支柱に埋設され上端側に継部が形成され、且つ下部支柱が鋼管杭、コンクリートＰＣ杭又は鉄製杭、上部支柱が鋼管ポール、コンクリートポール又は鉄製ポールを組み合わせて構成されていることを特徴とする。
【００１１】課題を解決する立設方法は、空間部に沿って防球用ネット又はテント用シートを吊り張りすべく複数の支柱を立設する支柱の立設方法であって、該支柱を下部支柱と上部支柱で形成し、立設条件に応じて鋼管杭、コンクリートＰＣ杭又は鉄製杭で構成された下部支柱を選択し、該下部支柱の下端側を地中に埋設し、下部支柱の上端側に形成された継部に鋼管ポール、コンクリートポール又は鉄製ポールで構成された上部支柱を選択し連結することを特徴とする。
【発明の作用・効果】
【００１２】次に、本発明の支柱及び支柱の立設方法の作用効果について説明する。
【００１３】先ず、本発明の支柱は、空間部の外周に沿って複数本立設し、防球用ネット又はテント用シートを吊り張りする。
【００１４】該支柱は、地中に埋設する下部支柱と、該下部支柱に連結する上部支柱から構成され、下部支柱の下端側を地中に埋設して固定した後、下部支柱の上端側に形成された継手に上部支柱を連結して支柱を形成する。
【００１５】この際、空間部までの道路状況、立設地面の広狭の条件に応じて支柱を下部支柱と上部支柱に分割することで、支柱の搬送、立設時の作業効率を向上することができる。
【００１６】また、地面の硬軟の条件に応じて、下部支柱を鋼管杭、コンクリートＰＣ杭又は鉄製杭で構成することで、地面に強固に固定することができる。
【００１７】そして、上部支柱を鋼管ポール、コンクリートポール又は鉄製ポールで構成することで、支柱の高低に応じた最適の支柱を立設することができる。
【００１８】即ち、下部支柱を鋼管杭で構成することで、フランジを鋼管に形成して地中の接地面積を広げることができコンクリートＰＣ杭の場合に比し埋設工事を狭い場所で行える。
【００１９】また、上部支柱を鋼管ポールで構成することで、高い支柱を容易に形成することができる。
【００２０】また、上部支柱をコンクリートポールで構成することだ、鋼管を用いる場合に比し経済的に構成することができる。
【００２１】このように、本発明の支柱は、その構成を自在に変更することができ、目的に応じた最適な支柱を立設することができる。
【発明を実施するための最良の形態】
【００２２】本発明の支柱及び支柱の立設方法の一実施の形態について説明する。【００２３】図１は、本発明の支柱の一実施例の構成を示す概略平面図であり、図２本発明の支柱の立設方法を示すフローチャートであり、図３は本発明の支柱の第２実施例を示す概略説明平面図である。【００２４】本発明の支柱１は、地中に埋設するコンクリートＰＣ杭で構成された下部支柱２と、鋼管製ポールで構成された上部支柱３から形成されている。【００２５】上記下部支柱２は、全体が円筒状に形成され下端側を地中に埋設し、テー
2013117146.tif 000003
2013117146.tif 000004
【００２６】上記上部支柱３は鋼管製ポールで構成されているために、１本の長尺状に形成することができ、高い位置まで容易に設置することができ、しかも、その強度を確保することができる。【００２７】本発明の支柱１は上記のように構成され、次に空間部の防球用ネットに取付用として使用する場合について説明する。【００２８】先ず、空間部の大きさに応じて複数本の支柱１を用意した後、下部支柱２と上部支柱３とをそれぞれ分割した状態で、空間部まで搬送する。このため、狭い道路でも容易に搬送することができる。【００２９】次に、空間部の沿って複数の孔を穿設し、型枠材にて囲み、型枠材にコン
2013117146.tif 000005
する。この際、下部支柱２の上端側は地上に大きく突出した状態となる。【００３０】そして、クレーンで吊り上げた上部支柱３の下方側を前記下部支柱２の上
2013117146.tif 000006
形成する。【００３１】その後、支柱１の上端側にシャックル等を介してネットの上端側を連結し、またネットの下端側を支柱１の下方側にシャックル等を介して取り付けることで、ネットを空間部に吊り張りする。【００３２】この際、ネットの吊り張りする高さ方向に応じて上部支柱３を高く構成することができるので、高さ方向が相違する場合でも、長さの相違する上部支柱３を用いることで容易に対応することができる。【００３３】また、上記実施例では、下部支柱２をコンクリートＰＣ杭で構成し、上部支柱３を鋼管ポールで構成したが、本発明の支柱１はこれに限定されるものでなく、例えば、下部支柱２を鋼管杭で構成し、上部支柱３をコンクリートポールで構成することも可能である。【００３４】この際、下部支柱２の埋設部分にプレートを形成することで、地中に穿設する孔の径を縮小するころができ狭いスペースに支柱１を立設することができる。【００３５】また、上部支柱３をコンクリートポールで構成することで、鋼管ポールより経済的に構成することができる。【００３６】また、鉄製杭とコンクリートポール、コンクリートＰＣ杭と鉄製ポールで構成することも可能である。【００３７】このように、本発明の支柱及び支柱の立設方法は、下部支柱と上部支柱とをそれぞれ分割することで、狭い道路でも容易に搬送することができる。【００３８】しかも。狭い場所でも適切に支柱を立設することができる。【００３９】また、下部支柱を鋼管、コンクリートＰＣ杭又は鉄製、上部支柱を鋼管ポール、コンクリートポール又は鉄製ポールをそれぞれ組み合わせて構成することで、立設条件、立設目的に応じて設計範囲を格段に広げることができる。【００４０】また、メンテナンス時に上部支柱３を取り外して地上で点検できるので、点検作業を安全に行うことができ、また、上部支柱３のみの取替えも可能である。
【図面の簡単な説明】
【００４１】
【図１】本発明の支柱の一実施例を示す概略平面図
【図２】本発明の支柱の立設方法を示すフローチャート
【図３】本発明の支柱の他実施例を示す概略平面図
【符号の説明】
【００４２】１−支柱、２−下部支柱、３−上部支柱
【図１】
2013117146.tif 000007
【図２】
2013117146.tif 000008
【図３】
2013117146.tif 000009